(57)【要約】【課題】軽油の酸化安定性に顕著に影響を及ぼす物質を突き止め、その物質の含有量を特定範囲に制御した低硫黄軽油組成物を提供することを課題とする。【解決手段】硫黄分が５質量ｐｐｍ以下で、全芳香族化合物の含有量が１５質量％以下で、ガスクロマトグラフィー分析におけるＺ数が−８の炭化水素化合物の割合が１５．０体積％以下で、且つＺ数が−１０の炭化水素化合物の割合が０．３体積％以上で、次式で示されるＡが１０以下である軽油組成物である。      Ａ＝３×（Ｚ数が−８の炭化水素化合物の割合，体積％）−３９×（Ｚ数が−１０の炭化水素化合物の割合，体積％）【選択図】なし【特許請求の範囲】
【請求項１】
硫黄分が５質量ｐｐｍ以下で、全芳香族化合物の含有量が１５質量％以下で、
ガスクロマトグラフィー分析におけるＺ数が−８の炭化水素化合物の割合が１５．０体積％以下で、且つＺ数が−１０の炭化水素化合物の割合が０．３体積％以上で、
次式で示されるＡが１０以下である軽油組成物。
Ａ＝３×（Ｚ数が−８の炭化水素化合物の割合，体積％）−３９×（Ｚ数が−１０の炭化水素化合物の割合，体積％）
【請求項２】
ガスクロマトグラフィー分析におけるＺ数が−８で且つ炭素数が２０以上である炭化水素化合物の割合が４．０体積％以下である請求項１記載の軽油組成物。
【発明の詳細な説明】
【技術分野】
【０００１】
本発明は、軽油組成物に関し、特には硫黄含有量が極めて低く、酸化安定性に優れた軽油組成物に関する。
【背景技術】
【０００２】
ディーゼルエンジン用燃料等として使用される軽油は、酸化すると変色、沈澱性の重合物（スラッジ）の生成、粘度上昇等が認められ、また、酸化によって生じた過酸化物（ペルオキシド）は燃料系統の部材（ゴムや金属等）を劣化させることが知られている。そのため、酸化安定性は軽油の品質安定性を評価する上で重要な指標の一つとなっており、高い酸化安定性を有する軽油が望まれる。近年では、ディーゼルエンジンは排気ガス規制強化により、コモンレールによる燃料噴射の高圧化が一段と進むことで軽油への熱負荷が増大し、従来以上に軽油の酸化安定性を高めることが求められている。
【０００３】
また、排気ガス浄化触媒の被毒防止から硫黄分が殆どない、いわゆるサルファーフリーの燃料油が２００５年１月から市場に投入されている。また、燃費規制や二酸化炭素排出量低減、排ガス中の有毒物質低減を背景に、軽油の硫黄分を１０質量ｐｐｍよりもさらに低減することが要求されている。硫黄分を除去するためには、高温高圧にした軽油に水素を吹き込んで固体触媒に接触させ、水素化分解反応によって硫黄分を硫化水素として除去する水素化脱硫処理が一般に行われる。しかしながら、硫黄分を高度に除去する過程において高温で熱負荷を受けることにより、軽油中に不安定な物質が生成し易く、酸化安定性が悪化する場合が多い。
【０００４】
そこで、軽油の硫黄分を除去する反応において温度を下げて、酸素に対して不安定な炭化水素構造をもつ物質の生成を抑えることが考えられるが、反応温度の低下により水素化脱硫の触媒活性が低下してくると硫黄分除去が困難になり、また一般に原料油に用いられる接触分解軽油や熱分解軽油等に多く含まれるインドール類のような含窒素化合物が水素化脱硫後も製品に残留し易くなり、やはり酸化安定性を悪化させる。
【０００５】
そこで、軽油の酸化安定性を向上させるために、古くからアミン系及びフェノール系の種々の酸化防止剤等を軽油に添加することが行われている。硫黄分を１０質量ｐｐｍ以下に低減した軽油に酸化防止剤を添加した例としては、特開２００４−２２５０００号公報（特許文献１）が挙げられ、該公報には、アミン系酸化防止剤としてＮ，Ｎ’−ジイソプロピル−ｐ−フェニレンジアミン等の使用が、フェノール系酸化防止剤として２，６−ジ−ｔｅｒｔ−ブチル−４−メチルフェノール等の使用が可能であることが記載されている。
【０００６】
しかしながら、特にディーゼルエンジンの高圧噴射化に伴う軽油への熱負荷増大により、軽油に対する酸化安定性の要求レベルが上がり、これに伴い酸化安定性評価の試験温度も高くなっている。所望の効果を得るために必要な酸化防止剤の量は、酸化安定性の悪い軽油組成物ほど多くなり、製造コストを引き上げることとなる。更に、酸化防止剤の量が多くなるにつれて、温度低下により酸化防止剤が析出し易くなる。逆に、添加剤の添加量が少ないと酸化時に添加剤の酸化防止効果が消耗された後は、軽油の酸化安定性が顕著に悪化してエンジン清浄性や金属材料を腐食させる等の悪影響を及ぼす。
【０００７】
そのため、酸化防止用添加剤を添加しないで軽油の酸化安定性を維持することが提案されている（特許文献２）。具体的には、酸化安定性の悪い物質としてフルオレン類とナフテンベンゼン類に着目し、これらの含有量と酸化安定性が良好な物質であるナフタレン類含有量とのバランスをとって特定の範囲とし、酸化安定性を確保している。
【０００８】
【特許文献１】特開２００４−２２５０００号公報
【特許文献２】特開２００６−１３７９２２号公報
【発明の開示】
【発明が解決しようとする課題】
【０００９】
しかしながら、本発明者らの研究によれば、特許文献２に記載の発明の通りにフルオレン類、ナフテンベンゼン類及びナフタレン類の含有量を特定範囲にした場合でも、充分な酸化安定性を示さない場合があることが判明し、上記成分以外にも顕著に酸化安定性に影響を与える成分の存在が予想された。
【００１０】
そこで、本発明は、軽油の酸化安定性に顕著に影響を及ぼすその他の物質を突き止め、その物質の含有量を特定範囲に制御した低硫黄軽油組成物を提供することを課題とする。
【課題を解決するための手段】
【００１１】
本発明者らは、上記課題を解決すべく鋭意研究したところ、炭化水素は、化学構造により抗酸化性の強いグループと弱いグループに分けられ、これらの含有量によって軽油組成物の酸化安定性が顕著に影響されることを見出した。更に、本発明者らは、抗酸化性の弱いグループにおいて、炭素数が多い成分の含有量を特定範囲内に制限することにより、酸化安定性の悪化をより効果的に抑制できることを見出した。
【００１２】
即ち、本発明は一側面において、
硫黄分が５質量ｐｐｍ以下で、全芳香族化合物の含有量が１５質量％以下で、
ガスクロマトグラフィー分析におけるＺ数が−８の炭化水素化合物の割合が１５．０体積％以下で、且つＺ数が−１０の炭化水素化合物の割合が０．３体積％以上で、
次式で示されるＡが１０以下である軽油組成物である。
Ａ＝３×（Ｚ数が−８の炭化水素化合物の割合，体積％）−３９×（Ｚ数が−１０の炭化水素化合物の割合，体積％）
【００１３】
ここで、Ｚ数とは、炭化水素化合物の構造式において水素の個数を炭素の個数ｎを２倍にした数値に加算する数値であり、その構造式はＣnＨ2n+Zで表される。なお、本発明において、Ｚ数は、通常用いられる−１２以降を＋２から繰り返してあてはめるのではなく、＋２、０、−２、−４、−６、−８、−１０、−１２、−１４、−１６、−１８、−２０、・・・の様に、炭素数が増加するに従い２個ずつ減少する整数値をあてはめたものである。
【００１４】
また、本発明は別の一側面において、ガスクロマトグラフィー分析におけるＺ数が−８で且つ炭素数が２０以上である炭化水素化合物の割合が４．０体積％以下の軽油組成物である。
【発明の効果】
【００１５】
本発明の軽油組成物によれば、従来検討されていなかった軽油中の酸化安定性阻害物質が制御されているため、軽油の酸化安定性を向上させることができる。より具体的な効果としては、貯蔵時やディーゼルエンジンで高圧噴射されることで受ける熱負荷による酸化重合物を低減する効果を奏し、さらにこの結果、これらの改善に用いていた酸化防止剤を減量、更には排除することができるので、製造コストを低減できることにもつながる。
【発明を実施するための最良の形態】
【００１６】
＜硫黄分＞
本発明による軽油組成物は、硫黄分が５質量ｐｐｍ以下である。硫黄分が５質量ｐｐｍ以下であるので、燃焼によって生ずる亜硫酸ガス等に基づく悪臭や環境負荷が低減される。なお、硫黄分は、環境負荷低減の観点から好ましくは２質量ｐｐｍ以下、さらに好ましくは１質量ｐｐｍ以下である。
【００１７】
＜Ｚ数が−８の炭化水素化合物＞
Ｚ数が−８の炭化水素化合物は、抗酸化性が弱いため、そのガスクロマトグラフィー分析における割合は１５．０体積％以下、好ましくは１０．０体積％以下、さらに好ましくは８．０体積％以下、特には６．０体積％以下である。Ｚ数が−８の炭化水素化合物の割合が１５．０体積％を超えると、軽油組成物の酸化安定性が低下する。Ｚ数が−８の炭化水素化合物の具体例としては、テトラヒドロナフタレン、トリメチルテトラヒドロナフタレン、デヒドロアロマデンドレン、９，１０−デヒドロイソロンギホレン、テトラキス（１−メチルエチリデン）シクロブタン、トリメチル−（１−メチルエチル）−１，３，６，１０−シクロテトラデカテトラエンが挙げられる。
【００１８】
＜Ｚ数が−１０の炭化水素化合物＞
Ｚ数が−１０の炭化水素化合物は、抗酸化性が強いため、そのガスクロマトグラフィー分析における割合は０．３体積％以上、好ましくは０．５体積％以上、さらに好ましくは０．７体積％以上、特には０．９％体積以上である。Ｚ数が−１０の炭化水素化合物の割合が０．３体積％以上であれば、軽油組成物の酸化安定性を向上させることができる。Ｚ数が−１０の炭化水素化合物の具体例としては、１，２，３，４，５，６，７，８−オクタヒドロフェナントレン、１，２，３，４，５，６，７，８−オクタヒドロ−１−メチルアントラセン、８，９−ジヒドロ−９−ビニルシクロイソロンギホレンが挙げられる。
【００１９】
＜Ａ＞
本発明者らは、種々の実験結果に基づいて、軽油組成物のＺ数と酸化処理後の軽油組成物の過酸化物価との関係は、概ね次式で算出されるＡによって表すことができ、これにより軽油組成物の酸化安定性をより定量的に評価できることを見出した。
Ａ＝３×（Ｚ数が−８の炭化水素化合物の割合，体積％）−３９×（Ｚ数が−１０の炭化水素化合物の割合，体積％）
硫黄分を５質量ｐｐｍ以下まで脱硫した、抗酸化性が強い本発明の軽油組成物は、算出値Ａが１０以下、好ましくは７以下、さらに好ましくは５以下、特には０以下である。Ａが１０以下の軽油組成物は、酸化安定性に優れる。
【００２０】
＜全芳香族化合物＞
芳香族化合物は、他成分に比べて抗酸化性が強いが、軽油組成物の硫黄分を５質量ｐｐｍ以下にするために、高圧下で水素化脱硫すると、芳香族化合物のベンゼン環が水素化され易くなる。また、芳香族化合物の含有量が多すぎると、ディーゼルエンジンで燃焼したときに煤の排出量が増加することから、本発明の軽油組成物は、全芳香族化合物の含有量が１５質量％以下、好ましくは１３質量％以下、さらに好ましくは１２質量％以下、特には１１質量％以下である。また、芳香族化合物の含有量が少なすぎると軽油組成物の抗酸化性が低下するため、本発明の軽油組成物は、全芳香族化合物の含有量が好ましくは１質量％以上、さらに好ましくは３質量％以上、特には５質量％以上である。
【００２１】
＜Ｚ数が−８で且つ炭素数が２０以上の炭化水素化合物＞
Ｚ数が−８で且つ炭素数が２０以上の炭化水素化合物は、特に抗酸化性が弱いため、そのガスクロマトグラフィー分析における割合は、好ましくは４．０体積％以下、さらに好ましくは２．０体積％以下、より一層好ましくは１．０体積％以下、特には含まないことである。Ｚ数が−８で且つ炭素数が２０以上の炭化水素化合物の割合が４．０体積％以下であれば、軽油組成物の酸化安定性を大幅に向上させることができる。Ｚ数が−８で且つ炭素数が２０以上の炭化水素化合物の具体例としては、３，７，１１−トリメチル−１４−（１−メチルエチル）−１，３，６，１０−シクロテトラデカテトラエン、イソカウレンが挙げられる。
【００２２】
前記各成分については、後述するガスクロマトグラフィーによりその割合を測定することができる。
【００２３】
本発明に係る軽油組成物に対しては、当業者に知られた任意の酸化防止剤を必要に応じて添加してもよい。酸化防止剤を添加する場合の添加量は、当業者であれば目的とする酸化安定性に応じて適宜調整することができるが、例えば、算出値Ａが１０を超える場合は、酸化安定性を維持する為に酸化防止剤を添加することも有効であり、例えばその添加量は１〜１０質量ｐｐｍであり、１０質量ｐｐｍ以上としてもよい。
【００２４】
酸化防止剤としては、フェノール系、アミン系の化合物の中で特に制限なく使用できるが、例えば２，６−ジ−ｔ−ブチルフェノール、２，６−ジ−ｔ−ブチル−４−メチルフェノール、２，４−ジメチル−６−ｔ−ブチルフェノール、２，４，６−トリ−ｔ−ブチルフェノール、２−ｔ−ブチル−４，６−ジメチルフェノール、２−ｔ−ブチルフェノール等のフェノール系酸化防止剤や、Ｎ，Ｎ’−ジイソプロピル−ｐ−フェニレンジアミン、Ｎ，Ｎ’−ジ−ｓｅｃ−ブチル−ｐ−フェニレンジアミン等のアミン系酸化防止剤、及びこれらの混合物が挙げられる。フェノール系及びアミン系の化合物以外にも酸化防止効果を有する物質が考えられるが、区別を明確にするために、本発明においてはフェノール系及びアミン系の化合物のみを酸化防止剤として取り扱い、酸化防止効果を有するその他の化合物を添加する場合は軽油基材として取り扱う。
【００２５】
また、その他、低温流動性向上剤、耐摩耗性向上剤、セタン価向上剤等の公知の燃料添加剤を添加しても良い。低温流動性向上剤としてはエチレン共重合体などを用いることが出来るが、特には酢酸ビニル、プロピオン酸ビニル、酪酸ビニルなどの飽和脂肪酸のビニルエステルが好ましく用いられる。耐摩耗性向上剤としては、例えば長鎖脂肪酸（炭素数１２〜２４）又はその脂肪酸エステルが好ましく用いられ、１０〜５００質量ｐｐｍ、好ましくは５０〜１００質量ｐｐｍの添加量で十分に耐摩耗性が向上する。
【００２６】
本発明の軽油組成物は、原料油として、例えば、常圧蒸留装置、接触分解装置、熱分解装置等から得られる軽油留分、すなわち沸点が１４０〜４００℃の範囲で留出する留分を用いて、水素化脱硫することにより得られるが、抗酸化性の強いＺ数−１０に属する多環芳香族を多くするためには、後留分の沸点を高めて水素化脱硫することが好ましい。また、抗酸化性の弱いＺ数−８に属する炭化水素化合物の含有量を少なくするためには、Ｚ数−８に多く属する沸点が２５０℃未満の留分を蒸留分離し、低温流動性を維持するために必要に応じて抗酸化性の強い灯油留分や炭素数１４以下のノルマルパラフィンを添加することが好ましい。また、抗酸化性の弱いＺ数−８に属する化合物の生成を抑えるために、水素分圧を低くしたり、水素／オイル比を低くしたりすることも有効である。なお、水素分圧を低くしたり、水素／オイル比を低くしたりすることにより硫黄分が除去し難くなるため、水素化脱硫にあたっては硫黄分を選択的に除去する触媒を用いることが好ましい。また、硫黄分の少ない基材を原料油に混合することや、硫黄分の少ない基材を、軽油の水素化脱硫後に混合することも有効である。後者の基材としては、接触改質装置から留出する炭素数１１以上の成分が挙げられる。
【００２７】
上記水素化脱硫は、水素化脱硫触媒として、Ｃｏ、Ｍｏ及びＮｉの１種以上を含有し、又所望によりＰを担持したものを用い、反応温度２７０〜３８０℃、好ましくは２９５〜３６０℃、反応圧力２．５〜８．５ＭＰａ、好ましくは２．７〜７．０ＭＰａ、ＬＨＳＶ０．９〜６．０ｈ-1、好ましくは０．９〜５．４ｈ-1、水素／オイル比１３０〜３００（±５程度の変動は許容される）Ｎｍ3／ｋＬの条件の範囲で適宜選択して、上述した本発明の軽油組成物が得られるようにする。特には、ＬＨＳＶ、水素分圧、水素／オイル比は小さい方が良いが、あまり小さいと硫黄分の除去が困難になるため、許容上限を超えない様にする。また反応温度は触媒の活性を高めるために、高めにすることが好ましい。
【００２８】
なお、上記方法で得られた軽油組成物には、低温流動性を改善するために酸化安定性が良好な灯油組成物や、縮合多環芳香族を多く含有する接触改質装置からの留出油である炭素数１１以上の成分を適宜の割合で混合することができる。
【実施例】
【００２９】
以下に、本発明の軽油組成物について具体的に実施例により説明する。なお、本発明は、以下の実施例に従って実施できるが、該実施例に限定されるものではない。
【００３０】
本発明に用いる物性測定方法及び評価方法は、次に示した方法で測定されるものである。
１）密度：ＪＩＳ Ｋ２２４９「原油及び石油製品密度試験方法」に規定された方法
２）蒸留性状：ＪＩＳ Ｋ２２５４「蒸留試験方法」に規定された方法
３）硫黄分：ＪＩＳ Ｋ２５４１−６「硫黄分試験方法（紫外蛍光法）」に規定された方法
４）全芳香族化合物：ＪＰＩ−５Ｓ−４９−９７「石油製品−炭化水素タイプ試験方法−高速液体クロマトグラフ法」に規定された方法
５）色相：石油製品−色試験方法のセーボルト色試験方法（ＪＩＳ Ｋ２５８０−５）及びＡＳＴＭ色試験方法（ＪＩＳ Ｋ２５８０−６）に規定された方法
６）過酸化物価：ＪＰＩ−５Ｓ−４６−９６「灯油の過酸化物価試験方法」に規定された方法。
【００３１】
７）Ｚ数：下記の分析により求めた炭化水素化合物を、水素の個数を炭素の個数ｎの２倍にした数値に加算する数値として算出する。Ｚ数は＋２、０、−２、−４、−６、−８、−１０、−１２、−１４、−１６、−１８、−２０の様に、通常用いられる−１２以降を＋２から繰り返してあてはめるのではなく、炭素数が増加するに従い２個ずつ減少する整数値をあてはめる。
【００３２】
炭化水素化合物は、２つの極性が異なるガスクロカラムを、モジュレータを介して直列に接続したガスクロマトグラフィーを用いて測定した。質量分析計、ＦＩＤ検出器とも同定したピーク全体の体積を１００％にして、各ピークの体積％を算出した。詳細条件は次の通りである。
・ＧＣシステム：  一次カラムへの通油後にモジュレータにより物質移動制御を行い、続けて二次カラムを通油させて極性の違い等により分離を行う。本分析装置システム構成としては、Agilent Technologies社製HP-6890N型ＦＩＤ検出器付きＧＣ、日本電子社製AccuTOF JMS-T100GC飛行時間型質量分析計からなる。
・１次カラム：  無極性または微極性カラム（例えば、Supelco社製PTE-5, 長さ３０ｍ, 内径０．２５ｍｍ, フィルム厚０．２５μｍ）
・モジュレータ中空カラム：  長さ２ｍ, 内径０．１ｍｍ
・２次カラム：  高極性カラム（例えば、Supelco社製SpelcoWAX10, 長さ２ｍ, 内径０．２５ｍｍ, フィルム厚０．２５μｍ）
・昇温条件：  ５０℃で５分間保持した後、１０℃／分の昇温速度で２８０℃まで昇温し、２８０℃で２７分間保持
・注入口温度：  ２８０℃
・注入量：  １．０μｌ
・スプリット比：  １００：１
・キャリアガス：  Ｈｅ, １．０ｍｌ／分
・モジュレータ温度：  下記のコールド温度、ホット温度を繰り返す。
ホットジェットガス温度：  １５０℃で５分間保持した後、１０℃／分の昇温速度で３２０℃まで昇温し、３２０℃で３３分間保持
コールドジェットガス温度：  約−１４０℃
・モジュレータ頻度：  ６秒間で０．３秒間ホット温度、その後５．７秒間コールド温度
・インターフェイス中空カラム：  長さ０．５ｍ, 内径０．２５ｍｍ
・ＦＩＤガス条件：水素（４５ｍＬ／分）、空気（４５０ｍＬ／分）、メークアップ ヘリウム（２５ｍＬ／分、一定）
【００３３】
＜軽油組成物の調製＞
・供試軽油１：常圧蒸留装置から留出した沸点範囲１４０〜４００℃の留分を、Ｃｏ、Ｍｏ、Ｐを担持した市販触媒を用い、反応温度３５０℃、反応圧力７．２ＭＰａ、水素／オイル比３００±５Ｎｍ3／ｋＬ、ＬＨＳＶ１．０ｈ-1、水素純度９４％の条件下で水素化精製して得た。
【００３４】
・供試軽油２：供試軽油１を下記表１の通り、初留点から１０％、１０〜３０％、３０〜５０％、５０〜７０％、７０〜９０％、釜残油に分画蒸留した。還流比は、抜き出し２に対して還流５の条件で行った。初留点から１０％の留分を除いた他留分を、それぞれの収率に比例して混合し、供試軽油２を得た。
【００３５】
・供試軽油３：表１の初留点から１０％、１０〜３０％の留分を除いた他留分をそれぞれの収率に比例して混合し、さらに炭素数１０、１１、１２及び１３のノルマルパラフィン（関東化学（株）製純度９９％品）を等量比で混合したものを前記混合物７０容量部に対して３０容量部混合して、供試軽油３を得た。
【００３６】
【表１】
2009167257.tif 000002
【００３７】
上記で調製した各供試軽油１〜３の性状を表２に示した。これらを用いて、各試料を１５０ｍｌ採取し、酸素で７ｋｇｆ／ｃｍ2に加圧後、１００℃で１６時間加熱処理した。また、その加熱前後の色相変化と過酸化物価変化を測定した。その結果を表２に併せて示した。
【００３８】
【表２】
2009167257.tif 000003
【００３９】
表２から、比較例１に比べて硫黄分が低い比較例２は、Ｚ数が−８の炭化水素化合物の割合が大きく、Ａも大きいことから、酸化処理後の過酸化物価が大きく、酸化安定性が悪いことが分かる。一方、実施例１や実施例２は、Ｚ数が−８の炭化水素化合物の割合が小さく、Ａも小さいことから、酸化処理後の過酸化物価が小さく、酸化安定性に優れることが分かる。